(57)【要約】【課題】ディレード送出の際に片系で収録失敗となった場合でも、常に２系統で運用することができるようにする。【解決手段】素材収録システムは、現用系において、エンコーダ１０からの符号化信号を収録部２０に第１の正規素材ファイルとして収録開始すると共にその収録ファイルを収録部２１に転送する。また、予備系から転送された素材ファイルを第１の予備素材ファイルとして収録部２０に収録する。そして、素材ファイルの収録状況に応じて制御部５０に送出される通知信号ａ，ｂ，ｅに応じて切替部３０を切替制御することにより、収録部２０に収録された第１の正規素材ファイル及び第１の予備素材ファイルのうち正常に収録された素材ファイルをデコーダ４０に導出する。デコーダ４０は、素材データを復号し、再生信号として出力する。なお、予備系においても同様の処理が行われる。【選択図】      図１
2009165034.tif 000002
【特許請求の範囲】
【請求項１】
現用系として伝送される第１の素材信号を第１の符号化信号に変換する第１の符号化部と、
予備系として伝送される第２の素材信号を第２の符号化信号に変換する第２の符号化部と、
前記現用系に設けられ、前記第１の符号化信号を第１の正規素材ファイルとして収録する手段と、前記予備系から転送される素材ファイルを第１の予備素材ファイルとして収録する手段と、前記第１の正規素材ファイルを収録しながら当該収録ファイルを直ちに読み出して転送出力する手段とを備える第１の収録部と、
前記予備系に設けられ、前記第２の符号化信号を第２の正規素材ファイルとして収録する手段と、前記現用系から転送される素材ファイルを第２の予備素材ファイルとして収録する手段と、前記第２の正規素材ファイルを収録しながら当該収録ファイルを直ちに読み出して転送出力する手段とを備える第２の収録部と、
前記現用系に設けられ、前記第１の収録部から読み出される第１の正規素材ファイルと第１の予備素材ファイルのいずれか一方を選択的に導出する第１の切替スイッチと、
前記予備系に設けられ、前記第２の収録部から読み出される第２の正規素材ファイルと第２の予備素材ファイルのいずれか一方を選択的に導出する第２の切替スイッチと、
前記第１の収録部における前記第１の正規素材ファイルの収録が開始されると前記第１の収録部に対して当該収録ファイルの転送出力の開始を指示する手段と、前記第１の収録部における前記第１の正規素材ファイルの収録状況を監視し、当該収録が正常のときは前記第１の切替スイッチに前記第１の正規素材ファイルを選択させ、収録の失敗を検知したときは前記第１の切替スイッチに前記第１の予備素材ファイルを選択させる手段とを備える第１の制御手段と、
前記第２の収録部における前記第２の正規素材ファイルの収録が開始されると前記第２の収録部に対して当該収録ファイルの転送出力の開始を指示する手段と、前記第２の収録部における前記第２の正規素材ファイルの収録状況を監視し、当該収録が正常のときは前記第２の切替スイッチに前記第２の正規素材ファイルを選択させ、収録の失敗を検知したときは前記第２の切替スイッチに前記第２の予備素材ファイルを選択させる手段とを備える第２の制御手段と
を具備することを特徴とする素材収録システム。
【請求項２】
前記第１の制御手段は、前記第１の収録部に対し、前記第１の正規素材ファイルの収録の失敗を検知したとき、前記第１の正規素材ファイルの転送を停止させ、
前記第２の制御手段は、前記第２の収録部に対し、前記第２の正規素材ファイルの収録の失敗を検知したとき、前記第２の正規素材ファイルの転送を停止させることを特徴とする請求項１記載の素材収録システム。
【請求項３】
前記第１の制御手段は、さらに、前記第１の収録部における第１の予備素材ファイルの収録状況を監視し、前記第１の正規素材ファイルの収録失敗と共に前記第１の予備素材ファイルの収録失敗が検知されたとき、現用系の素材ファイルの収録失敗を通知し、
前記第２の制御手段は、さらに、前記第２の収録部における第２の予備素材ファイルの収録状況を監視し、前記第２の正規素材ファイルの収録失敗と共に前記第２の予備素材ファイルの収録失敗が検知されたとき、予備系の素材ファイルの収録失敗を通知することを特徴とする請求項２記載の素材収録システム。
【請求項４】
前記第１の制御手段は、さらに、前記第１の符号化部における符号化処理状況を監視し、前記符号化処理の失敗が検知されたとき、前記第１の正規素材ファイルの転送を停止させ、
前記第２の制御手段は、さらに、前記第２の符号化部における符号化処理状況を監視し、前記符号化処理の失敗が検知されたとき、前記第２の正規素材ファイルの転送を停止させることを特徴とする請求項２記載の素材収録システム。
【請求項５】
前記第１の制御手段は、さらに、前記第１の収録部における第１の予備素材ファイルの収録状況を監視し、前記第１の符号化部の符号化処理失敗と共に前記第１の予備素材ファイルの収録失敗が検知されたとき、現用系の素材ファイルの収録失敗を通知し、
前記第２の制御部は、さらに、前記第２の収録部における第２の予備素材ファイルの収録状況を監視し、前記第２の符号化部の符号化処理失敗と共に前記第２の予備素材ファイルの収録失敗が検知されたとき、予備系の素材ファイルの収録失敗を通知することを特徴とする請求項２記載の素材収録システム。
【発明の詳細な説明】
【技術分野】
【０００１】
本発明は、二重化設備において、現用系・予備系それぞれの素材ファイルを収録し、再生して送出する素材収録システムに関する。
【背景技術】
【０００２】
放送局等にあっては、例えばテレビジョン放送等の番組及びＣＭ（コマーシャル）等の素材ファイルを収録し、任意のタイミングで送出する素材収録システムが使用されている。
【０００３】
一般的に、放送局等で用いられる設備では、機器の故障対策及び保守のために、現用系・予備系の二重化構成がとられている。このため、現用系及び予備系それぞれに素材ファイルを収録する収録部が設けられる。
【０００４】
従来の素材収録システムでは、現用系・予備系の両系統の収録部で素材ファイルを収録し、必要に応じて両系統の収録部から素材ファイルを送出する。また、片系の収録部で収録に失敗した場合には、正常に収録完了した系の収録部から、他系の収録部へ素材ファイルを転送してコピーすることで常に両系の収録部に正常な素材ファイルを保存させている。
【０００５】
しかしながら、素材ファイルの収録と送出の時間が短いディレード送出の場合には、素材収録システムは、素材ファイルの収録と送出とをほぼ同時に行う必要がある。このため、片系の収録部で収録に失敗した際、素材ファイルの収録が正常に完了した系の収録部から素材ファイルを転送してコピーするという従来の方法では間に合わず、片系運用となるおそれがある。
【０００６】
なお、マイグレーション収録方式及びパラ収録方式を混在して実行することにより、二重化設備における放送番組データの記録上の信頼性を向上させる例が提案されている（例えば、特許文献１参照。）。
【特許文献１】特開２００６−２７９５９１号公報
【発明の開示】
【発明が解決しようとする課題】
【０００７】
以上述べたように、従来の素材収録システムでは、ディレード送出の際に片系において収録が失敗した場合、素材ファイルのコピーが間に合わず、片系運用となるおそれがあった。
【０００８】
そこで、本発明の目的は、ディレード送出の際に片系で収録失敗となった場合でも、常に２系統で運用することが可能な素材収録システムを提供することにある。
【課題を解決するための手段】
【０００９】
上記目的を達成するため、本発明に係る素材収録システムは、現用系として伝送される第１の素材信号を第１の符号化信号に変換する第１の符号化部と、予備系として伝送される第２の素材信号を第２の符号化信号に変換する第２の符号化部と、前記現用系に設けられ、前記第１の符号化信号を第１の正規素材ファイルとして収録する手段と、前記予備系から転送される素材ファイルを第１の予備素材ファイルとして収録する手段と、前記第１の正規素材ファイルを収録しながら当該収録ファイルを直ちに読み出して転送出力する手段とを備える第１の収録部と、前記予備系に設けられ、前記第２の符号化信号を第２の正規素材ファイルとして収録する手段と、前記現用系から転送される素材ファイルを第２の予備素材ファイルとして収録する手段と、前記第２の正規素材ファイルを収録しながら当該収録ファイルを直ちに読み出して転送出力する手段とを備える第２の収録部と、前記現用系に設けられ、前記第１の収録部から読み出される第１の正規素材ファイルと第１の予備素材ファイルのいずれか一方を選択的に導出する第１の切替スイッチと、前記予備系に設けられ、前記第２の収録部から読み出される第２の正規素材ファイルと第２の予備素材ファイルのいずれか一方を選択的に導出する第２の切替スイッチと、前記第１の収録部における前記第１の正規素材ファイルの収録が開始されると前記第１の収録部に対して当該収録ファイルの転送出力の開始を指示する手段と、前記第１の収録部における前記第１の正規素材ファイルの収録状況を監視し、当該収録が正常のときは前記第１の切替スイッチに前記第１の正規素材ファイルを選択させ、収録の失敗を検知したときは前記第１の切替スイッチに前記第１の予備素材ファイルを選択させる手段とを備える第１の制御手段と、前記第２の収録部における前記第２の正規素材ファイルの収録が開始されると前記第２の収録部に対して当該収録ファイルの転送出力の開始を指示する手段と、前記第２の収録部における前記第２の正規素材ファイルの収録状況を監視し、当該収録が正常のときは前記第２の切替スイッチに前記第２の正規素材ファイルを選択させ、収録の失敗を検知したときは前記第２の切替スイッチに前記第２の予備素材ファイルを選択させる手段とを備える第２の制御手段とを具備する。
【００１０】
これにより、一方の系で正常に収録された素材ファイルをその収録と同時に他方の系に転送することが可能となるため、片系で素材ファイルの収録が失敗した場合でも、第１及び第２の収録部には、正常な素材ファイルが収録されることになる。また、第１及び第２の制御手段により素材ファイルの収録状況を監視し、その結果によって出力する素材ファイルを切り替えることにより、両系から正常な信号を出力することが可能となる。
【発明の効果】
【００１１】
本発明によれば、ディレード送出の際に片系で収録失敗となった場合でも、常に２系統で運用することが可能な素材収録システムを提供することができる。
【発明を実施するための最良の形態】
【００１２】
以下では、図面を参照しながら本発明の実施の形態について詳細に説明する。
【００１３】
図１は、本発明の一実施形態に係る素材収録システムの構成を示すブロック図である。図１に示す素材収録システムは、本実施形態における素材収録システムは、素材ファイルを収録すると共に再生して送出するディレード送信を行うものであって、二重化構造をしており、現用系と予備系とを備える。現用系には、エンコーダ１０と、収録部２０と、切替部３０と、デコーダ４０と、制御部５０とが備えられる。また、予備系には、エンコーダ１１と、収録部２１と、切替部３１と、デコーダ４１と、制御部５１とが備えられる。このとき、収録部２０と収録部２１とは、ギガビットイーサネット（登録商標）等の高速なネットワークで接続される。
【００１４】
図２は、本発明の一実施形態に係る素材収録システムの素材ファイル収録時の処理を示す模式図である。また、図３は、本発明の一実施形態に係る素材収録システムの素材ファイル出力時の処理を示す模式図である。
【００１５】
上記エンコーダ１０，１１は、素材信号を伝送するネットワーク回線とそれぞれ接続されている。エンコーダ１０は、受け取った現用系の素材信号を符号化し、収録部２０に送出する。また、信号の符号化に失敗した場合、その旨を示す通知信号ｅを制御部５０に送出する。同様に、エンコーダ１１は、受け取った予備系の素材信号を符号化し、収録部２１に送出する。また、符号化に失敗した場合、その旨を示す通知信号ｆを制御部５１に送出する。
【００１６】
上記収録部２０は、エンコーダ１０からの符号化信号を第１の正規素材ファイルとして収録する。また、収録部２０は、収録部２１から転送される素材ファイルを第１の予備素材ファイルとして収録する。さらに、収録部２０は、第１の正規素材ファイルを収録しながら当該収録ファイルを直ちに読み出して収録部２１へ転送出力する。
【００１７】
また、収録部２０は、第１の正規素材ファイルの収録に失敗すると、収録失敗の旨を示す通知信号ａを制御部５０に送信する。また、第１の予備素材ファイルの収録に失敗すると、収録失敗の旨を示す通知信号ｂを制御部５０に送信する。
【００１８】
上記収録部２１は、エンコーダ１１からの符号化信号を第２の正規素材ファイルとして収録する。また、収録部２１は、収録部２０から転送される素材ファイルを第２の予備素材ファイルとして収録する。さらに、収録部２１は、第２の正規素材ファイルを収録しながら当該収録ファイルを直ちに読み出して収録部２０へ転送出力する。
【００１９】
また、収録部２１は、第２の正規素材ファイルの収録に失敗すると、収録失敗の旨を示す通知信号ｃを制御部５１に送信する。又、第２の予備素材ファイルの収録に失敗すると、収録失敗の旨を示す通知信号ｄを制御部５１に送信する。
【００２０】
上記切替部３０は、収録部２０から読み出される第１の正規素材ファイルと第１の予備素材ファイルのいずれか一方を選択的に導出する。また、上記切替部３１は、前記第２の収録部から読み出される第２の正規素材ファイルと第２の予備素材ファイルのいずれか一方を選択的に導出する。
【００２１】
上記デコーダ４０は、切替部３０から導出される素材ファイルを復号し再生信号として外部に出力する。また、上記デコーダ４１は、切替部３１から導出される素材ファイルを復号し再生信号として外部に出力する。
【００２２】
上記制御部５０は、収録部２０において第１の正規素材ファイルの収録が開始されると、収録部２０に対してこの収録ファイルの収録部２１への転送出力の開始を指示する。
【００２３】
また、制御部５０は、通知信号ａ，ｂ，ｅの有無を判断する。通知信号ｅを検知した場合、第１の正規素材ファイルの転送を停止させると共に、前記切替部３０を切替制御して第１の予備素材ファイルを導出させる。通知信号ａを検知した場合、第１の正規素材ファイルの転送を停止させると共に、前記切替部３０を切替制御して第１の予備素材ファイルを導出させる。通知信号ｂを検知した場合、第１の正規素材ファイルを導出するよう切替部３０を切替制御する。通知信号ａ，ｂの２信号又は、通知信号ｂ，ｅの２信号を検知した場合、素材ファイルの出力ができない旨をユーザに報知する。
【００２４】
上記制御部５１は、収録部２１において第２の正規素材ファイルの収録が開始されると、収録部２１に対してこの収録ファイルの収録部２０への転送出力の開始を指示する。
【００２５】
また、制御部５１は、通知信号ｃ，ｄ，ｆの有無を判断する。通知信号ｆを検知した場合、第２の正規素材ファイルの転送を停止させると共に、前記切替部３１を切替制御して第２の予備素材ファイルを導出させる。通知信号ｃを検知した場合、第２の正規素材ファイルの転送を停止させると共に、前記切替部３１を切替制御して第２の予備素材ファイルを導出させる。通知信号ｄを検知した場合、第２の正規素材ファイルを導出するよう切替部３１を切替制御する。通知信号ｃ，ｄの２信号又は、通知信号ｄ，ｆの２信号を検知した場合、素材ファイルの出力ができない旨をユーザに報知する。
【００２６】
続いて、上記構成における制御部５０の処理動作を図４を参照して詳細に説明する。なお、本実施形態に係る素材収録システムは、ディレード送信を行うため、素材ファイルの収録が完了する前に素材ファイルの出力が開始される。
【００２７】
図４は、本発明の一実施形態に係る素材収録システムの制御部５０の処理動作を示すフローチャートである。まず制御部５０は、収録部２０に第１の正規素材ファイルの収録が開始されると、この第１の正規素材ファイルの収録部２１への転送出力の開始を収録部２０に指示する（ステップＳ１）。続いて、制御部５０は、収録部２０における第１の正規素材ファイル及び第１の予備素材ファイルの収録の際に、通知信号ｅを検知したか否かを判断する（ステップＳ２）。通知信号ｅが検知されなかった場合（ステップＳ２のＮｏ）、通知信号ａを検知したか否かを判断する（ステップＳ３）。
【００２８】
ここで、素材収録システムでは、第１の正規素材ファイル及び第１の予備素材ファイルの収録が完了しないうちに、収録部２０における両素材ファイルが出力される。なお、初期段階において、切替部３０からは第１の正規素材ファイルが導出されるよう設定されている。ステップＳ３において、制御部５０が通知信号ａを検知しない場合（ステップＳ３のＮｏ）、制御部５０は、通知信号ｂを検知したか否かを判断する（ステップＳ４）。通知信号ｂを検知しない場合（ステップＳ４のＮｏ）、素材ファイルの収録の失敗はないとして切替部３０の切替制御を行わずに処理を終了する。通知信号ｂを検知した場合（ステップＳ４のＹｅｓ）、第１の正規素材ファイルを導出させるように切替部３０を切替制御し（ステップＳ５）、処理を終了する。
【００２９】
ステップＳ２において、通知信号ｅを検知した場合（ステップＳ２のＹｅｓ）、第１の正規素材ファイルの収録部２１への転送を停止する（ステップＳ６）。続いて、通知信号ｂを検知したか否かを判断し（ステップＳ７）、検知しない場合（ステップＳ７のＮｏ）、第１の予備素材ファイルを導出させるように切替部３０を切替制御し（ステップＳ８）、処理を終了する。通知信号ｂを検知した場合（ステップＳ７のＹｅｓ）、素材ファイルを出力できない旨をユーザに報知し（ステップＳ９）、処理を終了する。
【００３０】
ステップＳ３において、通知信号ａを検知した場合（ステップＳ３のＹｅｓ）、処理をステップＳ６に移行する。
【００３１】
以上のように、上記一実施形態における素材収録システムは、現用系・予備系の二重化設備であり、現用系の素材信号をエンコーダ１０で符号化し収録部２０に第１の正規素材ファイルとして収録開始すると共にその収録ファイルを収録部２１に転送する。また、予備系の素材信号をエンコーダ１１で符号化し収録部２１に第２の正規素材ファイルとして収録開始すると共にその収録ファイルを収録部２０に転送する。そして、転送された第２の正規素材ファイルを第１の予備素材ファイルとして収録部２０に収録し、転送された第１の正規素材ファイルを第２の予備素材ファイルとして収録部２１に収録するようにしている。このとき、素材ファイルの収録状況に応じて、収録部２０からは通知信号ａ，ｂ，ｅが制御部５０に送出され、収録部２１からは通知信号ｃ，ｄ，ｆが制御部５１に送出される。
【００３２】
また、素材収録システムは、通知信号ａ，ｂ，ｅに応じて切替部３０を切替制御することで、第１の正規素材ファイル及び第１の予備素材ファイルのうち正常に収録された素材ファイルを導出する。また、通知信号ｃ，ｄ，ｆに応じて切替部３１を切替制御することで、第２の正規素材ファイル及び第２の予備素材ファイルのうち正常に収録された素材ファイルを導出する。そして、出力された素材ファイルをデコーダ４０，４１で復号化し、再生信号として出力するようにしている。
【００３３】
これにより、正規素材ファイル及び予備素材ファイルの両方が収録に失敗しない限り、収録部２０，２１の少なくとも一方には、正常な素材ファイルが常に収録されることになる。そして、正常に収録された素材ファイルを切替部３０，３１から出力することが可能となる。つまり、ディレード送信の際に片系の素材ファイルが収録失敗となった場合でも、他方の系の素材ファイルは正常に記録されているため、その素材ファイルの出力に導出を切り替えることにより、片系運用を回避することが可能となる。
【００３４】
従って、本実施形態における素材収録システムによれば、ディレード送出の際に片系で収録失敗となった場合でも、常に２系統で運用することができる。
【００３５】
なお、本発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００３６】
【図１】本発明に係る素材収録システムの一実施形態の構成を示すブロック図。
【図２】上記一実施形態に係る素材収録システムの素材ファイル収録時の処理を示す模式図。
【図３】上記一実施形態に係る素材収録システムの素材ファイル出力時の処理を示す模式図。
【図４】上記一実施形態の制御部５０の処理動作を示すフローチャート。
【符号の説明】
【００３７】
１０，１１…エンコーダ、２０，２１…収録部、３０，３１…切替部、４０，４１…デコーダ、５０，５１…制御部。
【図１】
2009165034.tif 000003
【図２】
2009165034.tif 000004
【図３】
2009165034.tif 000005
【図４】
2009165034.tif 000006